(57)【要約】【課題】小規模な医療施設で撮影画像と患者の対応付けを間違いなく行えるようにする。【解決手段】本発明に係る小規模診断システム１００によれば、画像生成装置１において、生成された撮影画像データ及び当該撮影画像データの画像生成時に入力された仮ＩＤとを対応付けて情報処理装置２に送信するとともに、画像生成装置１で生成された撮影画像データを参照用プリンタ４に送信し、撮影画像を記録媒体上に印刷した参照プリントを出力する。【選択図】図６
2007117571.tif 000002
【特許請求の範囲】
【請求項１】
来院した患者の検査対象部位を撮影し、その撮影画像データを生成する画像生成手段を備えた一以上の画像生成装置と、前記一以上の画像生成装置で生成された撮影画像データを一時記憶手段に記憶し、前記一時記憶手段に記憶された撮影画像データの中から一の患者の撮影画像データを抽出し、その抽出された撮影画像データに基づき撮影画像を表示手段に表示させ、当該表示された撮影画像と前記一の患者に関する患者情報とを対応付けて保存手段に保存する情報処理装置と、を備えた小規模診断システムにおいて、
画像データに基づいて記録媒体上に画像を印刷し出力する印刷装置を更に備え、  
前記画像生成装置は、前記画像生成手段において前記一の患者についての撮影画像データが生成されると、この生成された撮影画像データを前記情報処理装置及び前記印刷装置に送信する制御手段を有し、
前記印刷装置は、前記画像生成装置から送信された撮影画像データに基づいて記録媒体上に前記一の患者の撮影画像を印刷し出力することを特徴とする小規模診断システム。
【請求項２】
前記画像生成装置は、前記一の患者の外観特徴を撮影し当該患者の外観画像データを取得する撮影装置が接続され、前記画像生成装置の制御手段は、前記印刷装置に対し、前記撮影装置により取得された前記一の患者の外観画像データ及び前記一の患者の撮影画像データを送信し、
前記印刷装置は、前記画像生成装置から送信された前記一の患者の外観画像データ及び前記一の患者の撮影画像データに基づいて、記録媒体上に前記一の患者の外観画像及び撮影画像を印刷し出力することを特徴とする請求項１に記載の小規模診断システム。
【請求項３】
前記印刷装置は、前記一の患者の外観特徴を撮影し当該患者の外観画像データを取得する撮影装置が接続され、前記撮影装置により取得された前記一の患者の外観画像データ及び前記画像生成装置から送信された前記一の患者の撮影画像データに基づいて、記録媒体上に前記一の患者の外観画像及び撮影画像を印刷し出力することを特徴とする請求項１に記載の小規模診断システム。
【請求項４】
前記画像生成装置は、画像検索用ＩＤを入力する入力手段を備え、
前記画像生成装置の制御手段は、前記入力手段を介して前記一の患者の画像検索用ＩＤが入力され、前記画像生成手段により前記一の患者についての撮影画像データが生成されると、その撮影画像データを前記入力された画像検索用ＩＤと対応付けて前記情報処理装置及び前記印刷装置に送信し、
前記一時記憶手段は、前記画像生成装置から送信された前記撮影画像データ及び前記画像検索用ＩＤを対応付けて一時的に記憶し、
前記印刷装置は、前記一の患者の撮影画像データに基づき印刷を行う際に、前記画像検索用ＩＤを併せて記録媒体上に印刷し出力することを特徴とする請求項１〜３の何れか一項に記載の小規模診断システム。
【発明の詳細な説明】
【技術分野】
【０００１】
本発明は、来院した患者を撮影して撮影画像データを生成し、当該撮影画像データを表示して診断に提供し、表示された撮影画像データと患者情報とを対応付け、対応付けられた撮影画像データと患者情報を保存する小規模診断システムに関する。
【背景技術】
【０００２】
従来から、来院した患者を、ＣＲ（Computed Radiography）装置、ＦＰＤ（Flat Panel Detector）装置等の画像生成装置を用いて技師が撮影し、得られた画像が診断に提供可能となるように階調処理等の画像処理を加え、画像処理済みの画像を出力し、医師による読影に提供する診断システムが知られている。
【０００３】
このような診断システムは、来院した患者を受け付け、撮影オーダを発行する担当（受付）、実際に患者を撮影室で撮影しデジタル画像（画像データ）を生成する担当（技師）、階調性等の得られた画像の診断提供可否を判断し、場合によってはコントラストや濃度を修正する担当（一般の技師の中かから任命された技師等）、画像に基づき疾病の有無を判断（診断）する読影担当（医師）等、複数の担当者が役割分担を行い、診断が進められる。
従来、この患者の画像はフィルム上にハードコピーされて診断に供されていたが、近年では、ＰＡＣＳ（Picture Archiving  and Communication  System）等のビュワーシステムを用い、フィルムレスのシステムも登場している（例えば、特許文献１参照）。
【０００４】
上記の各役割を担当する場所は、受付は１Ｆ、放射線科は地下等、広い病院内で離れた場所にあることが多く、且つ、放射線科内で、複数の患者を、複数の技師が、複数の撮影装置を使用して、同時に撮影を実行する場面が定常的であり、複数の患者が常時各工程に滞留しており、生成された画像と個々の患者との対応付けを間違うことが無きよう、各工程での作業毎にＩＤを付し、ＲＩＳ（Radiology Information System）／ＨＩＳ（Hospital Information System）等のネットワークを介して対応付けることが行われる（例えば、特許文献２、３参照）。  
【０００５】
例えば、１Ｆ受付窓口では、患者の主訴に基づき検査内容（撮影内容）を決定し、患者名前とともに撮影オーダ情報を登録する。図１１（ａ）に、受付窓口で登録されるリストの一例を示す。図１１（ａ）のリストは随時追加され、１Ｆの受付用のワークステーション（以下ＷＳ）に表示される。
【０００６】
同時に、図１１（ａ）のリストは、ＲＩＳ／ＨＩＳ等のネットワークを介して、地下階の放射線科にあるコンソール（放射線科内にあり、撮影条件の設定やＲＩＳ／ＨＩＳの撮影オーダ情報を表示するワークステーションをコンソールと言う）に表示される。尚、コンソールの台数は、分散処理効率を上げる為、複数設けられていることが常であるが、これらもネットワークを介して相互に接続されていおり、任意のコンソールで、所定の検査ＩＤが選択された時、複数の技師間での重複撮影を予防する為、当該リストに処理中である旨を告知する方法（フラッシング表示や色を変える、又は、同一検査を選択するとビープ警告する等）が用いられる。
【０００７】
放射線科の技師は、自分の身近にあるコンソールを用い、表示されたリスト上からこれから撮影する検査ＩＤを選択し、使用するＣＲプレート（カセッテ）のＩＤを登録する（図１１（ｂ）参照）。                                  
【０００８】
技師は撮影枚数分のカセッテを持ち、撮影室へ移動し、患者の撮影を行う。その後、撮影済みカセッテを読取装置で読み取る。読取装置は、挿入されたカセッテに貼り付けられたカセッテＩＤを読み取り、画像データに付帯させて当該カセッテＩＤを送信し、最終的に検査ＩＤ（患者ＩＤ）と生成される画像データの対応が付けられる。生成された画像データは、技師が前記検査ＩＤを選択したコンソールに送信され、コンソールに表示される。この段階で、撮影ポジショニングの確認を行い、ポジショニング不良の場合は再撮影を行い、濃度やコントラストの修正や周波数強調処理を適用するか否か等も判断する。この後、当該画像を読影待ち（診断待ち）サーバに保存する。    
【０００９】
読影医は、読影室のワークステーション（ビュワー機能用に高精細モニタである場合が多い）、前記読影待ちサーバに保存された画像から所定の患者に係る画像を抽出表示させ、読影（診断）を行う。
【特許文献１】米国特許第５，２３５，５１０号
【特許文献２】特開２００２−１５９４７６号公報
【特許文献３】特開２００２−３１１５２４号公報
【発明の開示】
【発明が解決しようとする課題】
【００１０】
しかしながら、本願発明者等の調査分析によれば、開業医やクリニックのような比較的小規模な施設の場合は、画像生成装置の台数も少なく、助手が患者のポジショニングを行い、ポジショニング完了連絡を受け医師がＸ線曝射スイッチ制御する場合や、患者のポジショニング含め全ての操作を医師自身が行う場合も多い。
【００１１】
更に、小規模施設用のレセプト用コンピュータ（レセコン）との連携で、前述する対応付けも考えられるが、各装置メーカの仕様の相違等により統一的な運用が困難な状況であり、そもそも、前述する大規模施設での構成コンセプトのまま各装置の数を少なくしても、小規模施設に最適とは言えない。
【００１２】
本発明の課題は、小規模な医療施設で撮影画像と患者の対応付けを間違いなく行えるようにすることである。
【課題を解決するための手段】
【００１３】
上記課題を解決するため、請求項１に記載の発明は、
来院した患者の検査対象部位を撮影し、その撮影画像データを生成する画像生成手段を備えた一以上の画像生成装置と、前記一以上の画像生成装置で生成された撮影画像データを一時記憶手段に記憶し、前記一時記憶手段に記憶された撮影画像データの中から一の患者の撮影画像データを抽出し、その抽出された撮影画像データに基づき撮影画像を表示手段に表示させ、当該表示された撮影画像と前記一の患者に関する患者情報とを対応付けて保存手段に保存する情報処理装置と、を備えた小規模診断システムにおいて、
画像データに基づいて記録媒体上に画像を印刷し出力する印刷装置を更に備え、  
前記画像生成装置は、前記画像生成手段において前記一の患者についての撮影画像データが生成されると、この生成された撮影画像データを前記情報処理装置及び前記印刷装置に送信する制御手段を有し、
前記印刷装置は、前記画像生成装置から送信された撮影画像データに基づいて記録媒体上に前記一の患者の撮影画像を印刷し出力することを特徴としている。
【００１４】
請求項２に記載の発明は、請求項１に記載の発明において、
前記画像生成装置は、前記一の患者の外観特徴を撮影し当該患者の外観画像データを取得する撮影装置が接続され、前記画像生成装置の制御手段は、前記印刷装置に対し、前記撮影装置により取得された前記一の患者の外観画像データ及び前記一の患者の撮影画像データを送信し、
前記印刷装置は、前記画像生成装置から送信された前記一の患者の外観画像データ及び前記一の患者の撮影画像データに基づいて、記録媒体上に前記一の患者の外観画像及び撮影画像を印刷し出力することを特徴としている。
【００１５】
請求項３に記載の発明は、請求項１に記載の発明において、
前記印刷装置は、前記一の患者の外観特徴を撮影し当該患者の外観画像データを取得する撮影装置が接続され、前記撮影装置により取得された前記一の患者の外観画像データ及び前記画像生成装置から送信された前記一の患者の撮影画像データに基づいて、記録媒体上に前記一の患者の外観画像及び撮影画像を印刷し出力することを特徴としている。
【００１６】
請求項４に記載の発明は、請求項１〜３の何れか一項に記載の発明において、
前記画像生成装置は、画像検索用ＩＤを入力する入力手段を備え、
前記画像生成装置の制御手段は、前記入力手段を介して前記一の患者の画像検索用ＩＤが入力され、前記画像生成手段により前記一の患者についての撮影画像データが生成されると、その撮影画像データを前記入力された画像検索用ＩＤと対応付けて前記情報処理装置及び前記印刷装置に送信し、
前記一時記憶手段は、前記画像生成装置から送信された前記撮影画像データ及び前記画像検索用ＩＤを対応付けて一時的に記憶し、
前記印刷装置は、前記一の患者の撮影画像データに基づき印刷を行う際に、前記画像検索用ＩＤを併せて記録媒体上に印刷し出力することを特徴としている。
【発明の効果】
【００１７】
請求項１に記載の発明によれば、情報処理装置において、医師が撮影画像データと撮影対象となった患者の患者情報との対応付けを行う際に、表示手段に表示された撮影画像と、印刷装置において印刷され、患者が持参した撮影画像とを比較し、間違いがないか、抽出漏れがないかを確認することが可能となる。その結果、患者の撮影の同時進行が発生しても、撮影画像と患者情報の対応付けを間違いなく行うことが可能となる。
【００１８】
請求項２、３に記載の発明によれば、印刷装置から撮影画像とともに撮影対象となった患者の顔形や衣服等の目視判別可能な外観的特徴を表す外観画像を記録媒体上に印刷して出力するので、医師が撮影画像データと撮影対象となった患者に関する患者情報との対応付けを行う際に、印刷された撮影画像が間違いなくその患者のものであるか否かを外観画像により確認した上で、表示手段に表示された撮影画像と印刷装置において印刷された撮影画像とを比較し、間違いがないか、抽出漏れがないかを確認することが可能となる。その結果、より正確に、撮影画像と患者情報の対応付けを間違いなく行うことが可能となる。
【００１９】
請求項４に記載の発明によれば、画像生成装置において患者の撮影画像データの生成時に入力された画像検索用ＩＤを、撮影画像とともに記録媒体上に印刷して出力するので、医師が当該患者の撮影画像データを抽出する際の間違いを低減することが可能となる。
【発明を実施するための最良の形態】
【００２０】
〔第１の実施の形態〕
以下、本発明の第１の実施の形態について説明する。
まず、構成を説明する。
図１は、本実施の形態における小規模診断システム１００のシステム構成を示す概念図である。小規模診断システム１００は、開業医の医院やクリニックに設けられたシステムであり、図１に示すように、画像生成装置１ａ〜１ｃ、情報処理装置２、サーバ３、参照用プリンタ４がＬＡＮ（Local Area Network）等の通信ネットワークＮを介して、データが送受信可能なように接続されて構成されている。
【００２１】
画像生成装置１は、例えば、ＣＲ（Computed Radiography），ＦＰＤ（Flat Panel Detector），ＣＴ（Computed Tomography），ＭＲＩ（Magnetic Resonance Imaging），乳房撮影装置（マンモグラフィ）、超音波撮影装置等の、患者の検査対象部位を被写体として撮影を行い、撮影した画像をデジタル変換して、撮影画像の画像データ（以下、撮影画像データと称する）を生成する装置である。本実施の形態においては、画像生成装置１ａが超音波撮影装置であり、画像生成装置１ｂが内視鏡撮影装置であり、画像生成装置１ｃがＣＲ装置である場合を例として説明する。
【００２２】
ここで、ＣＲ装置１ｃは、輝尽性蛍光体を用いて被写体を放射線撮影し、被写体を透過した放射線エネルギーを輝尽性蛍光体に蓄積させ、輝尽性蛍光体に蓄積された画像を読み取ることにより撮影画像データの生成を行う装置である。ＣＲ装置１ｃは、読取装置が放射線源を有するとともに輝尽性蛍光体を内蔵しており、撮影〜読取までを１台で行うタイプと、輝尽性蛍光体シートを収容した持ち運び可能なカセッテを用いるタイプとがある。本実施の形態においては、カセッテタイプのＣＲ装置を例にとり説明するが、これに限定されるものではない。
【００２３】
以下、画像生成装置１の構成を、ＣＲ装置１ｃを例にとり説明する。
カセッテタイプのＣＲ装置１ｃは、放射線源を有する撮影装置１０ａと、撮影装置１０ａにおいて放射線撮影に供されたカセッテに収容された輝尽性蛍光体シートから画像を読み取って撮影画像データを生成する読取装置１０ｂにより構成されている（図５参照）。
【００２４】
図２に、読取装置１０ｂの機能構成例を示す。
図２に示すように読取装置１０ｂは、ＣＰＵ１１、入力部１２、通信部１３、ＲＡＭ１４、記憶部１５、画像生成部１６、Ｉ／Ｆ１７等を備え、各部はバス１９により接続されている。
【００２５】
ＣＰＵ１１は、記憶部１５に記憶されている制御プログラムを読み出し、ＲＡＭ１４内に形成されたワークエリアに展開し、該制御プログラムに従って読取装置１０ｂの各部を制御する。また、ＣＰＵ１１は、制御プログラムに従って、記憶部１５に記憶されている図６の患者・画像対応付けシーケンスにおける画像生成装置１側処理プログラムを始めとする各種処理プログラムを読み出してワークエリアに展開し、読み出したプログラムとの協働により、図６に示す患者・画像対応付けシーケンスにおける画像生成装置１側処理を始めとする各種処理を実行する。ＣＰＵ１１は、図６に示す患者・画像対応付けシーケンスにおける画像生成装置１側処理を実行することにより、画像生成装置の制御手段を実現する。
【００２６】
入力部１２は、テンキーや各種機能キーにより構成され、キーの押下信号を入力信号としてＣＰＵ１１に出力する。
【００２７】
通信部１３は、ネットワークインターフェース等により構成され、通信ネットワークＮに接続された外部機器とデータの送受信を行う。
【００２８】
ＲＡＭ１４は、ＣＰＵ１１により実行制御される各種処理において、記憶部１５から読み出されたＣＰＵ１１で実行可能な各種プログラム、入力若しくは出力データ、及びパラメータ等の一時的に記憶するワークエリアを形成する。
【００２９】
記憶部１５は、不揮発性の半導体メモリ等により構成され、ＣＰＵ１１で実行される制御プログラム、図６の患者・画像対応付けシーケンスにおける画像生成装置１側処理プログラムを始めとする各種プログラム、各種データ等を記憶する。
【００３０】
画像生成部１６は、撮影済みのカセッテを装着可能に構成され、装着されたカセッテから輝尽性蛍光体シートを取り出して励起光で走査して、輝尽性蛍光体シートに蓄積・保存された放射線画像情報を輝尽発光させ、この輝尽発光光を光電的に読み取って得られた画像信号に基づき撮影画像データを生成する。
【００３１】
Ｉ／Ｆ１７は、撮影装置としてのデジタルカメラ１８と読取装置１０ｂとを接続し、デジタルカメラ１８からの画像データ等の入力を行うためのインターフェースである。
【００３２】
超音波撮影装置１ａは、図２に示す構成と略同様であるが、画像生成部１６の機能は読取装置１０ｂと異なる。超音波撮影装置１ａにおいて、画像生成部１６は、探触子を有し、この探触子により患者の検査対象部位に超音波を投入し、その反射（エコー）信号に基づいて撮影画像データを生成する。また、超音波撮影装置１ａは、生成された撮影画像データに基づき画像を表示する表示部を備えている。
【００３３】
内視鏡撮影装置１ｂは、図２に示す構成と略同様であるが、画像生成部１６の機能は読取装置１０ｂと異なる。内視鏡撮影装置１ｂにおいて、画像生成部１６は、照明部、対物光学系、ＣＣＤ（Charge Coupled Device）又はＣＭＯＳ（Complementary Metal-Oxide Semiconductor）等の固体撮像素子等を備えた電子内視鏡を有し、患者の体腔内に挿入された電子内視鏡により撮像されることにより得られた画像信号に基づき撮影画像データを生成する。また、内視鏡撮影装置１ｂは、生成された撮影画像データに基づき画像を表示する表示部を備えている。
【００３４】
情報処理装置２は、画像生成装置１から送信された撮影画像データを受信し、画像処理を施して医師の読影用に表示部に表示するとともに、受信した撮影画像データを患者情報と対応付けてサーバ３に保存するＰＣ（Personal Computer）である。
【００３５】
図３に、情報処理装置２の機能構成例を示す。図３に示すように、情報処理装置２は、
ＣＰＵ２１、入力部２２、表示部２３、通信部２４、ＲＡＭ２５、記憶部２６を備えて構成され、各部はバス２７により接続されている。
【００３６】
ＣＰＵ２１は、記憶部２６記憶されているシステムプログラムを読み出し、ＲＡＭ２５内に形成されたワークエリアに展開し、該システムプログラムに従って各部を制御する。また、ＣＰＵ２１は、制御プログラムに従って、記憶部２６に記憶されている、図６の患者・画像対応付けシーケンスにおける情報処理装置２側処理プログラムを始めとする各種処理プログラムを読み出してワークエリアに展開し、読み出したプログラムとの協働により、図６の患者・画像対応付けシーケンスにおける情報処理装置２側処理をはじめとする各種処理を実行する。
【００３７】
入力部２２は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ２１に出力する。
【００３８】
表示部２３は、ＬＣＤ（Liquid Crystal Display）やＣＲＴ（Cathode Ray Tube）等のモニタにより構成され、ＣＰＵ２１から入力される表示信号の指示に従って、入力部２２からの入力指示やデータ等を表示する。
【００３９】
通信部２４は、ネットワークインターフェース等により構成され、通信ネットワークＮに接続された外部機器とデータの送受信を行う。
【００４０】
ＲＡＭ２５は、ＣＰＵ２１により実行制御される各種処理において、記憶部２６から読み出されたＣＰＵ２１で実行可能な各種プログラム、入力若しくは出力データ、及びパラメータ等の一時的に記憶するワークエリアを形成する。
【００４１】
記憶部２６は、ＨＤＤ（Hard Disc Drive）や不揮発性の半導体メモリ等により構成され、ＣＰＵ２１で実行されるシステムプログラム、図６の患者・画像対応付けシーケンスにおける情報処理装置２側処理プログラムを始めとする各種処理プログラム、各種データ等を記憶する。これらの各種プログラムは、読取可能なプログラムコードの形態で格納され、ＣＰＵ２１は、当該プログラムコードに従った動作を逐次実行する。
【００４２】
本実施の形態において、記憶部２６は、図３に示すように、画像生成装置１から送信された画像データ及び仮ＩＤを対応付けて一時的に記憶する一時記憶部２６１を有している。
【００４３】
サーバ３は、図３に示す情報処理装置２と同様に、ＣＰＵ、入力部、表示部、通信部、ＲＡＭ、記憶部等を備えたコンピュータである。サーバ３は、保存手段としての画像ＤＢ（Data Base）３０を備えており、通信部を介して情報処理装置２から入力された画像データを保存する。なお、画像ＤＢ３０は、情報処理装置２に備える構成としてもよい。
【００４４】
参照用プリンタ４は、画像生成装置１から送信された画像データに基づいて、インクジェット方式、或いは、帯電感光体ドラム上をレーザ走査して静電潜像を形成し、当該潜像をトナーにより現像するいわゆるカールソンプロセスを採用した静電転写方式（以下、レーザ方式と呼ぶ。）で、紙媒体等の記録媒体に、フィルムのような透過観察タイプの画像ではなく、反射観察タイプの画像を印刷して出力する印刷装置である。なお、出力された記録媒体は一般的なゴミあるいは再生資源ゴミとして処理可能である。本実施の形態においては、レーザ方式のプリンタとして説明する。
【００４５】
図４に、参照用プリンタ４の機能構成例を示す。図４に示すように、参照用プリンタ４は、ＣＰＵ４１、入力部４２、表示部４３、通信部４４、Ｉ／Ｆ４５、ＲＡＭ４６、記憶部４７、記録媒体搬送部４８、印刷部４９等を備えて構成され、各部はバス５０により接続されている。
【００４６】
ＣＰＵ４１は、記憶部４７に記憶されている制御プログラムを読み出し、ＲＡＭ４６内に形成されたワークエリアに展開し、該制御プログラムに従って各部を制御する。また、ＣＰＵ４１は、制御プログラムに従って、記憶部４７に記憶されている、図６の患者・画像対応付けシーケンスにおける参照用プリンタ４側処理プログラムを始めとする各種処理プログラムを読み出してＲＡＭ４６に形成されたワークエリアに展開し、読み出したプログラムとの協働により、図６の患者・画像対応付けシーケンスにおける参照用プリンタ４側処理を始めとする各種処理を実行する。
【００４７】
入力部４２は、例えば、表示部４３と一体的に構成されるタッチパネルにより構成され、表示部４３の表示画面におけるユーザからのタッチ入力を受け付け、その入力信号をＣＰＵ４１に出力する。
【００４８】
表示部４３は、ＬＣＤ等からなる表示画面により構成され、ＣＰＵ４１から入力される表示信号の指示に従って、表示画面上に、参照用プリンタ４の操作に関する情報や参照用プリンタ４の状態に関する情報を表示する。
【００４９】
通信部４４は、ネットワークインターフェース等により構成され、通信ネットワークＮに接続された外部機器とデータの送受信を行う。
【００５０】
Ｉ／Ｆ４５は、外部機器と参照用プリンタ４を接続し、データの入出力を行うためのインターフェースである。
【００５１】
ＲＡＭ４６は、ＣＰＵ４１により実行制御される各種処理において、記憶部４７から読み出されたＣＰＵ４１で実行可能な各種プログラム、入力若しくは出力データ、及びパラメータ等の一時的に記憶するワークエリアを形成する。また、ＲＡＭ４６は、通信部４４を介して受信された画像データを一時的に格納する受信画像メモリ４６１と、１ページ分のデータを格納するためのページメモリ４６２を有する。
【００５２】
記憶部４７は、不揮発性の半導体メモリ等により構成され、ＣＰＵ４１で実行される制御プログラム、図６の患者・画像対応付けシーケンスにおける参照用プリンタ４側処理プログラムを始めとする各種処理プログラム、各種データ等を記憶する。
また、記憶部４７は、設定フォーマット記憶部４７１を有している。設定フォーマット記憶部４７１は、画像の割り付けを行う際のフォーマット情報を記憶する。
【００５３】
記録媒体搬送部４８は、給紙ローラ、搬送ローラ、両面印刷の際に搬送経路を切り替える切り替え板等を備え、ＣＰＵ４１から入力される指示信号に従って、給紙トレイに装填された記録媒体を搬送経路に沿って搬送する。
【００５４】
印刷部４９は、ＣＰＵ４１から入力される指示信号に従って、レーザ方式で記録媒体に画像を印刷して出力する。
【００５５】
図５に、開業医の医院等の医療施設において小規模診断システム１００を適用した場合の各装置の配置例を示す。情報処理装置２は、医師が撮影された画像を表示して診断を行う装置であり、一般的に、診察室のデスク上に配置される。ＣＲ装置１ｃは、放射線を遮蔽するため、診察室とは別室の撮影室に配置される。内視鏡撮影装置１ｂは、プライバシー保護のため、診察室とは別室の検査室に配置される。参照用プリンタ４は、撮影された画像をその場で印刷可能とするため、画像生成装置１の置かれている各室に配置される。
【００５６】
このように、いくつかの室に画像生成装置１が分散し、撮影の同時進行が発生する可能性がある場合、他の患者と取り違えることなく撮影された撮影画像データと被写体となった患者に関する患者情報との対応付けを行う手段が必要となる。しかしながら、従来の大病院に設置されているシステムのように、受付、撮影、診察室のそれぞれにワークステーションやコンソールを配置し、受付での撮影内容（検査内容）の登録作業や撮影室（検査室）でのカセッテのＩＤ登録作業等を行うのは、規模が小さく、撮影の同時進行が発生するケースが少ない開業医の医院等の医療施設においてはかえって非効率であり、負担が大きい。
【００５７】
そこで、小規模診断システム１００においては、図６に示す患者・画像対応付けシーケンスにより、小規模な医療施設において効率的であり、かつ、撮影の同時進行が発生する可能性があっても患者と撮影画像データの対応付けを間違いなく行うことが可能な撮影〜診察のワークフローを提供する。
【００５８】
ここで、受付においては、患者に対して受付順に仮ＩＤを付与しておく。この仮ＩＤは、患者が受付を行う毎に一つ割り付けられる連続番号であり、例えば、１日にその施設（医院やクリニック）内に停滞する最大患者数を超える枚数分の整理カードのそれぞれに、仮ＩＤ（例えば、０１〜３０）を付与しておき、受付された患者にこの整理カードを渡すようにしてもよいし、受付に設置された発券機等により仮ＩＤを付与するようにしもよい。本実施の形態としては、一例として整理カードを利用した例について説明する。なお、仮ＩＤは、情報処理装置２において、患者の撮影画像データを抽出する際の画像検索キーとなる画像検索用ＩＤである。
【００５９】
以下、図６を参照して、小規模診断システム１００において、一の患者とその患者の画像とを対応付ける際に実行される患者・画像対応付けシーケンスについて説明する。
なお、医師や撮影技師等の撮影を行う操作者を、以下、撮影実施者と称する。
【００６０】
まず、撮影実施者は、撮影対象の患者を画像生成装置１の前に連れて行き、画像生成装置１において、入力部１２のテンキーを介して、撮影対象の患者に付与された整理カードに表示された仮ＩＤの入力を行い、患者の検査対象部位を被写体として撮影を行い、撮影画像データの生成を行う。例えば、画像生成装置１がＣＲ装置１ｃの場合、読取装置１０ｂに備えられた入力部１２のテンキーから仮ＩＤの入力を行い、撮影済みのカセッテを読取装置１０ｂにセットすることにより、撮影画像データの生成を行う。
【００６１】
画像生成装置１においては、入力部１２のテンキーが押下され、仮ＩＤが入力されると（ステップＳ１；ＹＥＳ）、撮影実施者の操作に応じて、画像生成部１６により、撮影画像データが生成され（ステップＳ２）、入力された仮ＩＤと生成された撮影画像データが対応付けられて通信部１３を介して情報処理装置２へ送信される（ステップＳ３）。一の患者の画像を複数の撮影条件で複数枚撮影した場合、生成された全ての撮影画像データが仮ＩＤに対応付けられて（例えば、撮影画像データの付帯情報として仮ＩＤが付帯されて）情報処理装置２へと送信される。なお、ステップＳ１における仮ＩＤの入力がなければ、画像生成部１６における撮影画像データの生成は行われないようになっている。また、同一患者に対する撮影の終了は、直前の撮影から所定時間以上撮影操作（読取装置１０ｂの場合はカセッテの装着）がない場合に検知することとしてもよいし、画像生成装置１の入力部１２に終了キーを設け、終了キーの押下により検知するようにしてもよい。
【００６２】
情報処理装置２においては、通信部２４を介して画像生成装置１からの撮影画像データ及び仮ＩＤが受信されると、受信された撮影画像データ及び仮ＩＤが対応付けられて一時記憶部２６１に保存される（ステップＳ４）。なお、一時記憶部２６１には、当該患者の撮影画像データのみでなく、他の患者を撮影して得られた撮影画像データであって、まだ診察されていない画像データが仮ＩＤと対応付けられた状態で次々と蓄積されていく。
【００６３】
また、画像生成装置１においては、印刷指示情報及び生成された撮影画像データが順次通信部１３を介して参照用プリンタ４へ送信される（ステップＳ５）。ここで、各画像生成装置１においては、同室内にある参照用プリンタ４が使用するプリンタとして設定されており、生成された撮影画像データは、同室内の参照用プリンタ４に送信される。印刷指示情報は、例えば、当該画像生成装置１の装置ＩＤ、送信した撮影画像データの、設定ボーマット記憶部４７１に記憶された設定フォーマットによる印刷を指示する情報が含まれる。
【００６４】
参照用プリンタ４においては、通信部４４を介して画像生成装置１から撮影画像データ及び印刷指示情報が受信されると、受信した撮影画像データが順次受信メモリ４６１に格納される（ステップＳ６）。画像生成装置１より印刷すべき撮影画像データの送信が全て終了したことが通知され、通信が切断されると、受信された撮影画像データの割り付け展開処理が実行される（ステップＳ７）。ここで、参照用プリンタ４においては、設定フォーマット記憶部４７１に、複数枚の画像の割り付けを行う際のフォーマット情報が設定されている。これは、例えば、参照用プリンタ４の導入時にＰＣ等を接続し、ＰＣの画面から、印刷に使用する用紙サイズ、１枚当たりに割り付ける画像の最大枚数、画像の取得順番に応じた割り付け位置等の情報を設定したものである。なお、開業医等の小規模な医療施設では、撮影する部位ごとに撮影すべき方向等が定型的に決まっていることが多く、１単位の撮影で撮影される最大枚数は４枚程度である。ステップＳ７においては、画像生成装置１から印刷指示情報及び撮影画像データが受信されると、受信された順（画像の取得順番）に受信メモリ４６１から撮影画像データが読み出され、撮影画像データのサイズと設定フォーマット記憶部４７１に設定されている当該撮影画像の割り付け位置のサイズに基づき撮影画像データに変倍処理が施され、ページメモリ４６２において、撮影画像データに基づき、取得順番に応じた位置への撮影画像の割り付け及び展開が行われる。そして、展開されたデータは印刷部４９に出力され、記録媒体搬送部４８により搬送された記録媒体上に印刷され出力される（ステップＳ８）。この撮影画像が印刷された記録媒体を以下、参照プリントと呼ぶ。
【００６５】
図７（ａ）に、ステップＳ８で参照用プリンタ４から印刷出力される参照プリントの一例を示す。図７（ａ）に示すように、参照プリントには、画像生成装置１において撮影された撮影画像の縮小画像（複数枚撮影されたときは複数枚の撮影画像）が印刷されている。撮影実施者は、この参照プリントを見て、当該患者に対しての撮影漏れがないか、ポジショニングが正しいか等を確認することができる。この参照プリントは、診断に使用されるものではなく、診察室における患者と撮影画像の対応関係の確認や、撮影室や検査室におけるポジショニングや撮影漏れ等の確認のために用いられるためのものであるため、情報処理装置２の画像処理ステップを経ずに、画像生成装置１で生成した撮影画像データが参照用プリンタ４に直接送信され印刷出力される。なお、複数枚の画像の撮影が行われた場合は、上述のように１枚の記録媒体上に並べて印刷するようにしてもよいし、それぞれの撮影画像を１枚の記録媒体上に個別に印刷するようにしてもよい。また、ステップＳ５において、撮影画像データと対応付けて仮ＩＤを参照用プリンタ４に送信し、撮影画像と併せて仮ＩＤを印刷するようにしてもよい（図７（ｂ）参照）。この場合、設定フォーマット記憶部４７１に、撮影画像の割り付け位置とともに仮ＩＤの割り付け位置を設定しておきステップＳ７において、仮ＩＤに該当するフォントを併せて割り付けて印刷する。
【００６６】
撮影及び参照プリントの印刷が終了すると、参照プリントが患者に渡される。患者はこの参照プリント及び整理カードを持って診察室へ移動する。医師は、情報処理装置２の入力部２２の操作により、表示部２３に画像検索画面を表示させ、患者の整理カードに記載された仮ＩＤを見て、入力部２２を介して仮ＩＤの入力を行う。情報処理装置２においては、医師による入力部２２の操作に応じて画像検索画面が表示され、入力部２２を介して仮ＩＤの入力が受け付けられる。表示された画像検索画面上で入力部２２を介して仮ＩＤが入力されると（ステップＳ９）、入力された仮ＩＤに対応する撮影画像データが一時記憶部２６１から抽出され（ステップＳ１０）、抽出された撮影画像データに画像処理が施されるとともに、画像処理済みの撮影画像を縮小したサムネイル画像が作成され（ステップＳ１１）、表示部２３の撮影画像表示画面２３１に表示される（ステップＳ１２）。
【００６７】
ここで、ステップＳ１１においては、撮影画像データが解析されることにより撮影された部位が判別され（例えば、特開平１１−７６１４１公報、特開２００１−７６１４１号公報）、認識された部位に応じた画像処理パラメータ（例えば、階調変換曲線、周波数強調度等）が記憶部２６から読み出され、読み出された画像処理パラメータに基づき、階調処理、周波数強調処理等の画像処理が施される。また、例えば、ＣＲ装置１ｃにおいて生成された撮影画像データにおいて、放射線の照射領域から外れた照射野外領域の信号値を最高濃度（最低輝度）に変換する黒化処理が施される。これらの画像処理により、撮影画像を診断上好ましい画像として表示、出力することができる。
【００６８】
図８に、ステップＳ１２において表示部２３に表示される撮影画像表示画面２３１の表示画面例を示す。図８に示すように、撮影画像表示画面２３１は、抽出された画像を一覧表示するための画像表示欄２３１ａ〜２３１ｄを有している。
【００６９】
医師は、患者の所持している整理カードの仮ＩＤに基づいて、その患者の撮影画像を一時記憶部２６１から抽出するが、整理カードの取り違えや仮ＩＤの入力ミス等が発生する可能性も考えられる。そこで、患者が所持している参照プリントを参照し、参照プリント上の撮影画像と撮影画像表示画面２３１の画像表示欄２３１ａ〜２３１ｄに表示されている抽出された撮影画像を比較することで、抽出された撮影画像が間違いなくその患者の撮影画像であるか、抽出漏れがないかを確認することができる。なお、図７（ｂ）に示すように、参照プリントに仮ＩＤを付与しておけば、整理カードの取り違えによる抽出ミスを防止することが可能となるので好ましい。
【００７０】
撮影画像表示画面２３１において、画像表示欄２３１ａ〜２３１ｄの何れかがマウス等により選択されると、選択された画像がライフサイズで単独表示される。医師はこの単独表示画像により、画像の詳細を観察し読影診断を行うことができる。また、当該画面の右上には、画像処理調整欄２３１ｅが設けられており、医師は、この画像処理調整欄２３１ｅをマウス等により操作することにより、濃度やコントラストの調整を行うことができる。また、撮影画像表示画面２３１には、表示された撮影画像に対応付ける患者の患者ＩＤ及び患者氏名等の患者情報の入力を受け付ける患者情報入力欄２３１ｆが設けられている。医師は、この患者情報入力欄２３１ｆから患者情報の入力を行う。
【００７１】
入力部２２を介して、患者情報入力欄２３１ｆから当該患者に関する患者情報の入力が行われると（ステップＳ１３）、ステップＳ１０で抽出された撮影画像データに、この入力された患者情報が対応付けられ通信部２４を介してサーバ３に送信され、画像ＤＢ３０への保存が行われる（ステップＳ１４）。入力部２２により撮影画像表示画面２３１の終了ボタン２３１ｇが押下されることにより、終了が指示されると（ステップＳ１５；ＹＥＳ）、ステップＳ１４でサーバ３に保存された画像データ及び仮ＩＤが一時記憶部２６１から消去され（ステップＳ１６）、本処理は終了する。
【００７２】
医師の診察終了後、整理カードは医師又は受付にて回収され、翌日以降に再利用される。
【００７３】
以上説明したように、第１の実施の形態においては、画像生成装置１において生成された撮影画像データ及び仮ＩＤを診察室にある情報処理装置２に送信し、撮影画像データと仮ＩＤを対応付けて一時記憶部２６１に記憶するとともに、画像生成装置１で生成された撮影画像データを参照用プリンタ４に送信し、撮影画像を記録媒体上に印刷した参照プリントを出力する。従って、撮影実施者は、撮影後、すぐに参照プリントを見て、撮影漏れがないか、ポジショニングが正しいか等を確認することができる。また、診察室において、患者の識別情報と画像とを対応付ける際においても、患者が所持している参照プリントの画像と、一時記憶部２６１から当該患者の撮影画像として抽出された画像とを比較し、抽出された画像が間違いなくその患者の撮影画像であるか、抽出漏れがないかを確認することができる。
【００７４】
〔第２の実施の形態〕
次に、本発明の第２の実施の形態について説明する。
【００７５】
第２の実施の形態において、読取装置１０ｂのＩ／Ｆ１７には、デジタルカメラ１８が接続されている。
【００７６】
また、画像生成装置１の記憶部１５には、図９に示す患者・画像対応付けシーケンスの画像生成装置１側処理を実行するためのプログラムが記憶されており、画像生成装置１のＣＰＵ１１と当該プログラムとの協働により、図９に示す患者・画像対応付けシーケンスの画像生成装置１側処理が実現される。ＣＰＵ１１は、当該処理の実行により、画像生成装置の制御手段を実現する。また、情報処理装置２の記憶部２６には、図９に示す患者・画像対応付けシーケンスの情報処理装置側処理を実行するプログラムが記憶されており、情報処理装置２のＣＰＵ２１と当該プログラムとの協働により、図９に示す患者・画像対応付けシーケンスの情報処理装置２側処理が実現される。参照用プリンタ４の記憶部４７には、図９に示す患者・画像対応付けシーケンスの参照用プリンタ４側処理を実行するプログラムが記憶されており、参照用プリンタ４のＣＰＵ４１と当該プログラムとの協働により、図９に示す患者・画像対応付けシーケンスの参照用プリンタ４側処理を実行する。
【００７７】
その他、第２の実施の形態におけるシステム構成及び各装置の構成は、第１の実施の形態で説明したのと略同様であるので説明を省略する。
【００７８】
以下、図９を参照して、第２の実施の形態における患者・画像対応付けシーケンスについて説明する。
【００７９】
まず、撮影実施者は、撮影対象の患者を画像生成装置１の前に連れて行き、画像生成装置１において、入力部１２のテンキーを介して、撮影対象の患者に付与された整理カードに表示された仮ＩＤの入力を行い、次いで、デジタルカメラ１８により、検査対象部位の撮影に先立って患者の顔形や衣服等の目視判別可能な外観的特徴を表す画像（例えば、顔写真。以下、外観画像という。）の撮影を行う。患者の外観画像の撮影後、画像生成装置１において、患者の検査対象部位を被写体として撮影を行い、撮影画像データの生成を行う。例えば、画像生成装置１がＣＲ装置１ｃの場合、読取装置１０ｂに備えられた入力部１２のテンキーから仮ＩＤの入力を行い、デジタルカメラ１８により患者の外観画像を撮影し、次いで、撮影済みのカセッテを読取装置１０ｂにセットすることにより、撮影画像データの生成を行う。
【００８０】
画像生成装置１においては、入力部１２のテンキーが押下され、仮ＩＤが入力され（ステップＳ２１；ＹＥＳ）、次いで、Ｉ／Ｆ１７を介してデジタルカメラ１８において撮影された患者の外観画像データが入力されると（ステップＳ２２）、通信部１３を介して、印刷指示情報及び外観画像データが参照用プリンタ４に送信される（ステップＳ２３）。ここで、各画像生成装置１においては、同室内にある参照用プリンタ４が使用するプリンタとして設定されており、画像生成装置１からのデータは、同室内の参照用プリンタ４に送信される。印刷指示情報は、例えば、当該画像生成装置１の装置ＩＤ、送信した外観画像データ及び続いて送信する撮影画像データの設定フォーマットによる印刷を指示する情報が含まれる。参照用プリンタ４においては、通信部４４を介して、画像生成装置１から印刷指示情報及び外観画像データが受信されると、受信された外観画像データが受信メモリ４６１に格納される（ステップＳ２４）。
【００８１】
次いで、画像生成装置１において、撮影実施者の操作に応じて画像生成部１６により撮影画像データの生成が行われると（ステップＳ２５）、入力された仮ＩＤと生成された撮影画像データが対応付けられ通信部１３を介して情報処理装置２へ送信される（ステップＳ２６）。一の患者の診断画像を複数の撮影条件で複数枚撮影した場合、生成された全ての撮影画像データが仮ＩＤに対応付けられて情報処理装置２へと送信される。なお、ステップＳ２１における仮ＩＤの入力がなければ、画像生成部１６における撮影画像データの生成は行われないよう制御される。
【００８２】
情報処理装置２においては、通信部２４を介して画像生成装置１からの撮影画像データ及び仮ＩＤが受信されると、受信された撮影画像データ及び仮ＩＤが対応付けられて一時記憶部２６１に記憶される（ステップＳ２７）。なお、一時記憶部２６１には、当該患者の撮影画像データのみでなく、他の患者を撮影して得られた撮影画像データであって、まだ診察されていない撮影画像データが仮ＩＤと対応付けられた状態で次々と蓄積されていく。
【００８３】
情報処理装置２への撮影画像データの送信が終了すると、画像生成装置１においては、画像生成部１６により生成された撮影画像データが順次通信部１３を介して参照用プリンタ４へ送信される（ステップＳ２８）。
【００８４】
参照用プリンタ４においては、通信部４４を介して画像生成装置１から撮影画像データが受信されると、受信された撮影画像データが順次受信メモリ４６１に格納される（ステップＳ２９）。画像生成装置１より印刷する撮影画像データの送信が終了したことが通知され、通信が切断されると、先に受信された外観画像データ及び撮影画像データの割り付け展開処理が実行される（ステップＳ３０）。ここで、参照用プリンタ４においては、設定フォーマット記憶部４７１に、外観画像及び複数枚の撮影画像の割り付けを行う際のフォーマット情報が設定されている。これは、例えば、参照用プリンタ４の導入時にＰＣ等を接続し、ＰＣの画面から、印刷に使用する用紙サイズ、１枚当たりに割り付ける撮影画像の最大枚数、画像の取得順番に応じた割り付け位置等の情報を設定したものである。なお、開業医等の小規模な医療施設では、撮影する部位ごとに撮影すべき方向等が定型的に決まっていることが多く、１単位の撮影で撮影される最大枚数は４枚程度である。ステップＳ２９においては、画像生成装置１から印刷指示情報、外観画像データ及び撮影画像データが受信されると、受信された順（画像の取得順番）に受信メモリ４６１から外観画像データ、撮影画像データが読み出され、画像データのサイズと設定フォーマット記憶部４７１に設定されている、当該画像の割り付け位置のサイズに基づき画像データに変倍処理が施され、ページメモリ４６２において、取得順番に応じた位置への画像の割り付け及び展開が行われる。そして、展開されたデータは印刷部４９に出力され、記録媒体上に印刷出力される（ステップＳ３１）。
【００８５】
図１０（ａ）に、ステップＳ３１で参照用プリンタ４から印刷出力される参照プリントの一例を示す。図１０に示すように、参照プリントには、撮影した患者の外観画像、画像生成装置１において撮影された診断画像の縮小画像（複数枚撮影されたときは複数枚の画像）が印刷されている。撮影実施者は、この参照プリントを見て、当該患者に対しての撮影漏れがないか、ポジショニングが正しいか等を確認することができる。この参照プリントは、診断に使用されるものではなく、診察室における患者と撮影画像の対応関係の確認や、撮影室や検査室におけるポジショニングや撮影漏れ等の確認のために用いられるためのものであるため、情報処理装置２の画像処理ステップを経ずに、画像生成装置１で生成した撮影画像データが参照用プリンタ４に直接送信され印刷出力される。なお、複数枚の画像の撮影が行われた場合は、上述のように１枚の記録媒体上に並べて印刷するようにしてもよいし、それぞれの撮影画像を個別に印刷するようにしてもよい。また、ステップＳ２３において外観画像データと対応付けて、或いはステップＳ２８において撮影画像データと対応付けて、仮ＩＤを参照用プリンタ４に送信し、参照プリントに画像と併せて仮ＩＤを印刷するようにしてもよい（図１０（ｂ）参照）。この場合、設定フォーマット記憶部４７１に、画像の割り付け位置とともに仮ＩＤの割り付け位置を設定しておき、ステップＳ３０において、仮ＩＤに該当するフォントを併せて割り付けて印刷する。
【００８６】
撮影及び参照プリントの印刷が終了すると、参照プリントが患者に渡される。患者はこの参照プリント及び整理カードを持って診察室へ移動する。医師は、情報処理装置２の入力部２２の操作により、表示部２３に画像検索画面を表示させ、患者の整理カードに記載された仮ＩＤを見て、入力部２２を介して仮ＩＤの入力を行う。情報処理装置２においては、医師による入力部２２の操作に応じて画像検索画面が表示され、入力部２２を介して仮ＩＤの入力が受け付けられる。表示された画像検索画面上で入力部２２を介して仮ＩＤが入力されると（ステップＳ３２）、入力された仮ＩＤに対応する撮影画像データが一時記憶部２６１から抽出され（ステップＳ３３）、抽出された撮影画像データに画像処理が施されるとともに、画像処理済みの撮影画像を縮小したサムネイル画像が作成され（ステップＳ３４）、表示部２３の撮影画像表示画面２３１に表示される（ステップＳ３５）。
【００８７】
医師は、患者の所持している整理カードの仮ＩＤに基づいて、その患者の撮影画像を一時記憶部２６１から抽出するが、整理カードの取り違えや仮ＩＤの入力ミス等が発生する可能性も考えられる。また、参照プリントの取り違えが発生する可能性もある。そこで、図１０に示すような患者の外観画像の入った参照プリントを患者に所持させ、患者と参照プリントの外観画像とを比較することで、患者の所持している参照プリントが間違いなく患者のものであることを確認した上で、更に、参照プリント上の撮影画像と撮影画像表示画面２３１の画像表示欄２３１ａ〜２３１ｄに表示されている抽出された撮影画像とを比較することで、抽出された撮影画像が間違いなく診察中の患者の画像であるか、抽出漏れがないかを確認することができる。
【００８８】
入力部２２を介して、患者情報入力欄２３１ｆから当該患者に関する患者情報の入力が行われると（ステップＳ３６）、ステップＳ３３で抽出された撮影画像データに、この入力された患者情報が対応付けられ通信部２４を介してサーバ３に送信され、画像ＤＢ３０への保存が行われる（ステップＳ３７）。入力部２２により撮影画像表示画面２３１の終了ボタンが押下されることにより、終了が指示されると（ステップＳ３８；ＹＥＳ）、ステップＳ３７でサーバ３に保存された画像データ及び仮ＩＤが一時記憶部２６１から消去され（ステップＳ３９）、本処理は終了する。
【００８９】
医師の診察終了後、整理カードは医師又は受付にて回収され、翌日以降に再利用される。
【００９０】
以上説明したように、第２の実施の形態においては、参照プリントに、患者の外観画像も併せて印刷するようにしたので、診察室において、撮影画像に患者の識別情報を対応付ける際において、医師が、参照プリントが間違いなくその患者のものであるか否かを確認してから、患者が所持している参照プリントの画像と、一時記憶部２６１から当該患者の画像として抽出した撮影画像とを比較し、抽出された撮影画像が間違いなくその患者の撮影画像であるか、抽出漏れがないかを確認することができる。
【００９１】
なお、上記実施の形態における記述内容は、本発明に係る小規模診断システム１００の好適な一例であり、これに限定されるのものではない。
【００９２】
例えば、上記第１及び第２の実施の形態においては、各室に参照用プリンタ４を設置した場合を例にとり説明したが、撮影実施者が一人である場合等においては、設置する参照用プリンタ４は一台としてもよい。
【００９３】
また、第２の実施の形態においては、デジタルカメラ１８は、画像生成装置１に接続した場合を例にとり説明したが、参照用プリンタ４に接続することとしてもよい。参照用プリンタ４にデジタルカメラを接続した場合、最初に患者の外観画像をデジタルカメラで撮影して得られた外観画像データに基づき外観画像を記録媒体に印刷し、ＣＰＵ４１による記録媒体搬送部４８の制御により、印刷された記録媒体を裏面印刷用に搬送し、画像生成装置１から送信される撮影画像データに基づき撮影画像を記録媒体の裏面に印刷するようにしてもよい。
【００９４】
また、第１の実施の形態及び第２の実施の形態では、撮影実施者が、参照プリントを患者に渡し、患者自身が医師に提出するフローとしたが、整理カードに付された仮ＩＤや外観画像を参照プリントに同時プリントする場合においては、撮影実施者が参照プリントを医師に届けるフローとすれば、患者の診察室への移動の途中での参照プリント紛失を回避でき、好ましい。又、１日の撮影画像数が少ない施設では、患者との対応付けまでの一時記憶部２６１に存在する画像数自体も少ないので、情報処理装置２において、一時記憶部２６１に記憶されている全撮影画像のサムネイル画像を表示部２３に表示可能とし、表示されたサムネイル画像の中から医師が参照プリントに印刷された撮影画像を抽出（選択）する方式を採用してもよい。また、参照プリントが図１０（ａ）の出力形態をとれば、その外観画像に基づき、患者を特定し、参照プリントの撮影画像に基づき、一時記憶部２６１から対象患者の撮影画像を抽出することができ、患者と撮影画像との対応付けも間違いなく実行可能となり、且つ画像生成装置における仮ＩＤの入力を省くシステム構成が可能となり、好ましい。
【００９５】
その他、小規模診断システム１００を構成する各装置の細部構成及び細部動作に関しても、本発明の趣旨を逸脱することのない範囲で適宜変更可能である。
【図面の簡単な説明】
【００９６】
【図１】本発明に係る小規模診断システム１００の全体構成を示す図である。
【図２】図１の画像生成装置１の機能的構成を示すブロック図である。
【図３】図１の情報処理装置２の機能的構成を示すブロック図である。
【図４】図１の参照用プリンタ４の機能的構成を示すブロック図である。
【図５】開業医の医院等の医療施設において小規模診断システム１００を適用した場合の各装置の配置例を示す図である。
【図６】第１の実施の形態において、図１の小規模診断システム１００において実行される患者・画像対応付けシーケンスを示すフロー図である。
【図７】（ａ）は、図６のステップＳ８で参照用プリンタ４から印刷出力される参照プリントの一例を示す図、（ｂ）は、図７（ａ）の参照プリント上に撮影画像と併せて仮ＩＤを印刷して出力した場合の一例を示す図である。
【図８】図６のステップＳ１２において表示部２３に表示される撮影画像表示画面２３１の一例を示す図である。
【図９】第２の実施の形態において、図１の小規模診断システム１００において実行される患者・画像対応付けシーケンスを示すフロー図である。
【図１０】（ａ）は、図９のステップＳ３１で参照用プリンタ４から印刷出力される参照プリントの一例を示す図、（ｂ）は、図１０（ａ）の参照プリント上に外観画像及び撮影画像と併せて仮ＩＤを印刷して出力した場合の一例を示す図である。
【図１１】（ａ）は、従来の診断システムにおいて受付窓口で登録されるリストの一例を示す図、（ｂ）は、従来の診断システムにおいて（ａ）に示すリストに放射線科の技師がカセッテ登録した一例を示す図である。
【符号の説明】
【００９７】
１００  小規模診断システム
１  画像生成装置
２  情報処理装置
３  サーバ
４  参照用プリンタ
１１、２１、４１  ＣＰＵ
１２、２２、４２  入力部
１３、２４、４４  通信部
１４、２５、４６  ＲＡＭ
１５、２６、４７  記憶部
１６  画像生成部
１７、４５  Ｉ／Ｆ
２３、４３  表示部
１８  デジタルカメラ
４８  記録媒体搬送部
４９  印刷部
１９、２７、５０  バス
【図１】
2007117571.tif 000003
【図２】
2007117571.tif 000004
【図３】
2007117571.tif 000005
【図４】
2007117571.tif 000006
【図５】
2007117571.tif 000007
【図６】
2007117571.tif 000008
【図７】
2007117571.tif 000009
【図８】
2007117571.tif 000010
【図９】
2007117571.tif 000011
【図１０】
2007117571.tif 000012
【図１１】
2007117571.tif 000013